(57)【要約】  本出願の実施形態は、端末装置にアップリンク送信リソースを割り当てるため、リソースの割り当て方法および装置を提供する。当該方法は、端末装置は、ネットワーク装置によってブロードキャストされた第１の対応関係および第２の対応関係を受信するステップであって、第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含む前記受信するステップと、端末装置は、端末装置のチャネル状態の値を決定し、自身の端末装置のチャネル状態の値および第１の対応関係に基づいて端末装置端末装置に対応するグレードを決定するステップと、端末装置は、端末装置に対応するグレードおよび第２の対応関係に基づいて、端末装置に対応するグレードに対応するアップリンク送信リソースの集合を決定し、決定されたアップリンク送信リソースの集合からアップリンク送信リソースを選択するステップとを備える。【選択図】図１
2020529173.tif 000002
【特許請求の範囲】
【請求項１】
端末装置は、ネットワーク装置によってブロードキャストされた第１の対応関係および第２の対応関係を受信するステップと、
前記端末装置は、端末装置のチャネル状態の値を決定し、端末装置のチャネル状態の値および前記第１の対応関係に基づいて、端末装置に対応するグレードを決定するステップと、
前記端末装置は、端末装置に対応するグレードおよび前記第２の対応関係に基づいて、端末装置に対応するアップリンク送信リソースの集合を決定し、決定された前記アップリンク送信リソースの集合からアップリンク送信リソースを選択するステップとを備え、
前記第１の対応関係は、チャネル状態情報の値の範囲と端末装置に対応するグレードとの間の対応関係を含み、前記第２の対応関係は、端末装置に対応するグレードとアップリンク送信リソースの集合との間の対応関係を含むことを特徴とするリソースの割り当て方法。
【請求項２】
前記第２の対応関係において端末装置に対応するグレードが高いほど、グレードに対応するアップリンク送信リソースの集合に含まれるアップリンク送信リソースの品質がより良いであることを特徴とする請求項１に記載のリソースの割り当て方法。
【請求項３】
前記端末装置は、前記ネットワーク装置によってブロードキャストされた更新された前記第１の対応関係を受信し、
前記端末装置は、端末装置のチャネル状態の値および更新された前記第１の対応関係に基づいて、端末装置に対応するグレードを決定することを特徴とする請求項１に記載のリソースの割り当て方法。
【請求項４】
前記端末装置は、端末装置のチャネル状態の値を前記ネットワーク装置に報告し、報告された前記チャネル状態の値は、前記ネットワーク装置が前記第１の対応関係を更新するために使用されることを特徴とする請求項１に記載のリソースの割り当て方法。
【請求項５】
前記チャネル状態情報は、基準信号の受信電力、パイロット信号の受信強度および信号対雑音比のうちの１つまたは組み合わせを含むことを特徴とする請求項１から請求項４のいずれか１項に記載のリソースの割り当て方法。
【請求項６】
前記アップリンク送信リソースは、時間領域リソース、周波数領域リソースおよびコード領域リソースのうちの１つまたは組み合わせを含むことを特徴とする請求項１から請求項４のいずれか１項に記載のリソースの割り当て方法。
【請求項７】
ネットワーク装置は、チャネル状態情報の値の範囲と端末装置に対応するグレードとの間の対応関係を含む第１の対応関係を決定するステップと、
前記ネットワーク装置は、端末装置に対応するグレードとアップリンク送信リソースの集合との間の対応関係を含む第２の対応関係を決定するステップと、
前記ネットワーク装置は、前記第１の対応関係および前記第２の対応関係を端末装置にブロードキャストするステップとを備え、
前記第１の対応関係および前記第２の対応関係は、前記端末装置がアップリンク送信リソースを選択するために使用されることを特徴とするリソースの割り当て方法。
【請求項８】
前記第２の対応関係において端末装置に対応するグレードが高いほど、グレードに対応するアップリンク送信リソースの集合に含まれるアップリンク送信リソースの品質がより良いであることを特徴とする請求項７に記載のリソースの割り当て方法。
【請求項９】
前記ネットワーク装置は、少なくとも１つの端末装置からチャネル状態情報を受信し、
前記ネットワーク装置は、前記少なくとも１つの端末装置のチャネル状態情報に基づいて、前記第１の対応関係を更新し、
前記ネットワーク装置は、更新された前記第１の対応関係を前記端末装置にブロードキャストすることを特徴とする請求項７に記載のリソースの割り当て方法。
【請求項１０】
前記ネットワーク装置は、受信された前記少なくとも１つの端末装置のチャネル状態情報に基づいて、前記第１の対応関係を更新する場合、
前記ネットワーク装置は、前記少なくとも１つの端末装置のチャネル状態情報および前記第１の対応関係に基づいて、前記少なくとも１つの端末装置のそれぞれに対応するグレードを決定し、
任意のグレードに対して、前記ネットワーク装置は、前記任意のグレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、
前記調整情報は、受信過負荷率、送信過負荷率および有効過負荷率のうちの１つまたは組み合わせを含むことを特徴とする請求項９に記載のリソースの割り当て方法。
【請求項１１】
前記ネットワーク装置が前記グレードの調整情報に基づいて前記第１の対応関係における前記グレードに対応するチャネル状態情報の値の範囲を更新する場合、
前記調整情報に受信過負荷率および／または有効過負荷率が含まれる場合、同じグレードに対し、前記グレードに対応する調整情報が第１のしきい値よりも小さければ、前記ネットワーク装置は、前記第１の対応関係における前記グレードに対応するチャネル状態情報の値の範囲を縮小し、前記調整情報が第２のしきい値よりも大きければ、前記ネットワーク装置は、前記第１の対応関係における前記グレードに対応するチャネル状態情報の値の範囲を拡大し、前記第１のしきい値は、前記第２のしきい値以下であり、または
前記調整情報に送信過負荷率が含まれる場合、同じグレードに対し、前記送信過負荷率が第５のしきい値よりも大きければ、前記ネットワーク装置は、前記第１の対応関係における前記グレードに対応するチャネル状態情報の値の範囲を縮小し、前記送信過負荷率が第６のしきい値よりも小さければ、前記ネットワーク装置は、前記第１の対応関係における前記グレードに対応するチャネル状態情報の値の範囲を拡大し、前記第３のしきい値は前記第４のしきい値以下であることを特徴とする請求項１０に記載のリソースの割り当て方法。
【請求項１２】
前記チャネル状態情報は、基準信号の受信電力、パイロット信号の受信強度および信号対雑音比のうちの１つまたは組み合わせを含むことを特徴とする請求項７から請求項１１のいずれか１項に記載のリソースの割り当て方法。
【請求項１３】
前記アップリンク送信リソースは、時間領域リソース、周波数領域リソースおよびコード領域リソースのうちの１つまたは組み合わせを含むことを特徴とする請求項７から請求項１１のいずれか１項に記載のリソースの割り当て方法。
【請求項１４】
ネットワーク装置によってブロードキャストされた第１の対応関係および第２の対応関係を受信するように構成された送受信ユニットであって、前記第１の対応関係は、チャネル状態情報の値の範囲と端末装置に対応するグレードとの間の対応関係を含み、前記第２の対応関係は、端末装置に対応するグレードとアップリンク送信リソースの集合との間の対応関係を含む前記送受信ユニットと、
端末装置のチャネル状態の値を決定し、端末装置のチャネル状態の値および前記送受信ユニットによって受信された前記第１の対応関係に基づいて、端末装置に対応するグレードを決定し、端末装置に対応するグレードおよび前記送受信ユニットによって受信された前記第２の対応関係に基づいて、端末装置に対応するグレードに対応するアップリンク送信リソースの集合を決定し、決定された前記アップリンク送信リソースの集合からアップリンク送信リソースを選択するように構成された処理ユニットとを備えることを特徴とする端末装置。
【請求項１５】
前記第２の対応関係において端末装置に対応するグレードが高いほど、グレードに対応するアップリンク送信リソースの集合に含まれるアップリンク送信リソースの品質がより良いであることを特徴とする請求項１４に記載の端末装置。
【請求項１６】
前記送受信ユニットは、さらに、
前記ネットワーク装置によってブロードキャストされた更新された前記第１の対応関係を受信し、
前記処理ユニットは、さらに、
前記送受信ユニットが前記ネットワーク装置によってブロードキャストされた更新された前記第１の対応関係を受信した後、端末装置のチャネル状態の値および更新された前記第１の対応関係に基づいて、端末装置に対応するグレードを決定することを特徴とする請求項１４に記載の端末装置。
【請求項１７】
前記送受信ユニットは、さらに、
端末装置のチャネル状態の値を前記ネットワーク装置に報告し、報告された前記チャネル状態の値は、前記ネットワーク装置が前記第１の対応関係を更新するために使用されることを特徴とする請求項１４に記載の端末装置。
【請求項１８】
前記チャネル状態情報は、基準信号の受信電力、パイロット信号の受信強度および信号対雑音比のうちの１つまたは組み合わせを含むことを特徴とする請求項１４から請求項１７のいずれか１項に記載の端末装置。
【請求項１９】
前記アップリンク送信リソースは、時間領域リソース、周波数領域リソースおよびコード領域リソースのうちの１つまたは組み合わせを含むことを特徴とする請求項１４から請求項１７のいずれか１項に記載の端末装置。
【請求項２０】
チャネル状態情報の値の範囲と端末装置に対応するグレードとの間の対応関係を含む第１の対応関係を決定し、端末装置に対応するグレードとアップリンク送信リソースの集合との間の対応関係を含む第２の対応関係を決定するように構成された処理ユニットと、
前記処理ユニットによって決定された前記第１の対応関係および前記第２の対応関係を端末装置にブロードキャストするように構成された送受信ユニットとを備え、
前記第１の対応関係および前記第２の対応関係は、前記端末装置がアップリンク送信リソースを選択するために使用されることを特徴とするネットワーク装置。
【請求項２１】
前記第２の対応関係において端末装置に対応するグレードが高いほど、グレードに対応するアップリンク送信リソースの集合に含まれるアップリンク送信リソースの品質がより良いであることを特徴とする請求項２０に記載のネットワーク装置。
【請求項２２】
前記送受信ユニットは、さらに、
少なくとも１つの端末装置からチャネル状態情報を受信し、
前記処理ユニットは、さらに、
前記送受信ユニットが少なくとも１つの端末装置からチャネル状態情報を受信した後、前記少なくとも１つの端末装置のチャネル状態情報に基づいて、前記第１の対応関係を更新し、
前記送受信ユニットは、さらに、
更新された前記第１の対応関係を前記端末装置にブロードキャストすることを特徴とする請求項２０に記載のネットワーク装置。
【請求項２３】
前記処理ユニットは、受信された前記少なくとも１つの端末装置のチャネル状態情報に基づいて、前記第１の対応関係を更新する場合、
前記少なくとも１つの端末装置のチャネル状態情報および前記第１の対応関係に基づいて、前記少なくとも１つの端末装置のそれぞれに対応するグレードを決定し、
任意のグレードに対して、前記グレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、
前記調整情報は、受信過負荷率、送信過負荷率および有効過負荷率のうちの１つまたは組み合わせを含むことを特徴とする請求項２２に記載のネットワーク装置。
【請求項２４】
前記処理ユニットは、前記グレードに対応する調整情報に基づいて、前記第１の対応関係における前記グレードに対応するチャネル状態情報の値の範囲を更新する場合、
前記調整情報に受信過負荷率および／または有効過負荷率が含まれる場合、同じグレードに対し、前記グレードに対応する調整情報が第１のしきい値よりも小さければ、前記第１の対応関係における前記グレードに対応するチャネル状態情報の値の範囲を縮小し、前記調整情報が第２のしきい値よりも大きければ、前記第１の対応関係における前記グレードに対応するチャネル状態情報の値の範囲を拡大し、前記第１のしきい値は、前記第２のしきい値以下であり、または
前記調整情報に送信過負荷率が含まれる場合、同じグレードに対し、前記送信過負荷率が第５のしきい値よりも大きければ、前記第１の対応関係における前記グレードに対応するチャネル状態情報の値の範囲を縮小し、前記送信過負荷率が第６のしきい値よりも小さければ、前記第１の対応関係における前記グレードに対応するチャネル状態情報の値の範囲を拡大し、前記第３のしきい値は前記第４のしきい値以下であることを特徴とする請求項２３に記載のネットワーク装置。
【請求項２５】
前記チャネル状態情報は、基準信号の受信電力、パイロット信号の受信強度および信号対雑音比のうちの１つまたは組み合わせを含むことを特徴とする請求項２０から請求項２４のいずれか１項に記載のネットワーク装置。
【請求項２６】
前記アップリンク送信リソースは、時間領域リソース、周波数領域リソースおよびコード領域リソースのうちの１つまたは組み合わせを含むことを特徴とする請求項２０から請求項２４のいずれか１項に記載のネットワーク装置。
【請求項２７】
プロセッサと、メモリとを備え、
前記プロセッサは、メモリ内のプログラムを読み取り、次の手順を実行するように構成され、
ネットワーク装置によってブロードキャストされた第１の対応関係および第２の対応関係を受信するように送受信機を制御し、第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含み、
端末装置のチャネル状態の値を決定し、端末装置のチャネル状態の値および送受信機受信された第１の対応関係に基づいて、端末装置に対応するグレードを決定し、
端末装置に対応するグレードおよび送受信機受信された第２の対応関係に基づいて、端末装置に対応するグレードに対応するアップリンク送信リソースの集合を決定し、決定されたアップリンク送信リソースの集合からアップリンク送信リソースを選択することを特徴とする端末装置。
【請求項２８】
プロセッサと、メモリとを備え、
前記プロセッサは、メモリ内のプログラムを読み取り、次の手順を実行するように構成され、
第１の対応関係を決定し、第１の対応関係は、チャネル状態情報の値の範囲と端末装置に対応するグレードとの間の対応関係を含み、
第２の対応関係を決定し、第２の対応関係は、端末装置に対応するグレードとアップリンク送信リソースの集合との間の対応関係を含み、
決定された第１の対応関係および第２の対応関係を端末装置にブロードキャストするように送受信機を制御し、第１の対応関係および第２の対応関係は、端末装置がアップリンク送信リソースを選択することに用いられることを特徴とするネットワーク装置。
【発明の詳細な説明】
【技術分野】
【０００１】
［関連出願の相互参照］
【０００２】
本出願は、２０１７年８月４日に中国特許局に提出し、出願番号が２０１７１０６６２９３６．４であり、発明名称が「リソースの割り当て方法および装置」との中国特許出願を基礎とする優先権を主張し、その開示の総てをここに取り込む。
本発明は、通信技術分野に関し、特にリソースの割り当て方法および装置に関する。
【背景技術】
【０００３】
現在、Ｌｏｎｇ  Ｔｅｒｍ  Ｅｖｏｌｕｔｉｏｎ（ＬＴＥ（登録商標））システムにおけるアップリンク送信リソース割り当てスキームでは、ネットワーク装置が端末装置にアップリンク送信リソースを割り当てるために、ネットワーク装置と端末装置との間の複数の情報相互作用が必要である。端末装置側で変更が発生した場合、たとえば、端末装置とネットワーク装置間の物理的距離が変更された場合、ネットワーク装置はアップリンク伝送リソースを端末装置に再割り当てする必要がある。ただし、たとえば、システム内の端末装置の数の増加に伴い、第５世代（５ｔｈ  Ｇｅｎｅｒａｔｉｏｎ，５Ｇ）移動通信技術システムの端末装置の数は大幅に増加する。このようなスキームでは、ネットワーク装置が端末装置にアップリンク送信リソースを割り当てるために、ネットワーク装置と端末装置との間の複数の情報相互作用が必要であることにより、アップリンク送信リソース割り当てプロセスでは、実施が困難であり、時間がかかり、シグナリングオーバーヘッドが高くなってしまう。
【０００４】
別のアップリンク送信リソース割り当てスキームでは、ネットワーク装置は、利用可能なアップリンク送信リソースを端末装置に通知し、端末装置は、ネットワーク装置から通知された利用可能なすべてのアップリンク送信から端末装置によるアップリンク送信のためのリソースをランダムに選択できる。ただし、このスキームでは、複数の端末装置が同じアップリンク送信リソースを選択する可能性があり、これによりリソースの衝突が発生し、さらに端末装置の送信効率が低くなり、送信障害が発生する恐れがある。
【発明の概要】
【発明が解決しようとする課題】
【０００５】
要約すると、既存のアップリンク送信リソース割り当てスキームのいずれも、端末装置への好ましいアップリンク送信リソースの割り当てを達成することができない。
【０００６】
本出願の実施形態は、端末装置へのアップリンク送信リソースを割り当てるために使用されるリソース割り当て方法および装置を提供する。
【課題を解決するための手段】
【０００７】
第１の態様によれば、本出願の実施形態に係るリソースの割り当て方法は、
端末装置は、ネットワーク装置によってブロードキャストされた第１の対応関係および第２の対応関係を受信するステップと、端末装置は、端末装置のチャネル状態の値を決定し、端末装置のチャネル状態の値および第１の対応関係に基づいて、端末装置に対応するグレードを決定するステップと、端末装置は、端末装置に対応するグレードおよび第２の対応関係に基づいて、端末装置に対応するアップリンク送信リソースの集合を決定し、決定されたアップリンク送信リソースの集合からアップリンク送信リソースを選択するステップとを備え、前記第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含む。
【０００８】
１つの可能な設計では、第２の対応関係において端末装置に対応するグレードが高いほど、グレードに対応するアップリンク送信リソースの集合に含まれるアップリンク送信リソースの品質がより良い。
【０００９】
１つの可能な設計では、端末装置は、ネットワーク装置によってブロードキャストされた更新された第１の対応関係を受信し、端末装置は、端末装置のチャネル状態の値および更新された第１の対応関係に基づいて、端末装置に対応するグレードを決定する。
【００１０】
１つの可能な設計では、端末装置は、端末装置のチャネル状態の値をネットワーク装置に報告し、報告されたチャネル状態の値はネットワーク装置が第１の対応関係を更新することに用いられる。
【００１１】
１つの可能な設計では、チャネル状態情報は、基準信号の受信電力、パイロット信号の受信強度および信号対雑音比のうちの１つまたは組み合わせを含む。
【００１２】
１つの可能な設計では、アップリンク送信リソースは、時間領域リソース、周波数領域リソースおよびコード領域リソースのうちの１つまたは組み合わせを含む。
【００１３】
第２の態様によれば、本出願の実施形態に係るリソースの割り当て方法は、
ネットワーク装置は、第１の対応関係を決定し、第１の対応関係は、チャネル状態情報の値の範囲と端末装置に対応するグレードとの間の対応関係を含み、ネットワーク装置は、第２の対応関係を決定し、第２の対応関係は、端末装置に対応するグレードとアップリンク送信リソースの集合との間の対応関係を含み、ネットワーク装置は、第１の対応関係および第２の対応関係を端末装置にブロードキャストし、第１の対応関係および第２の対応関係は、端末装置がアップリンク送信リソースを選択することに用いられる。
【００１４】
１つの可能な設計では、第２の対応関係において端末装置に対応するグレードが高いほど、グレードに対応するアップリンク送信リソースの集合に含まれるアップリンク送信リソースの品質がより良い。
【００１５】
１つの可能な設計では、ネットワーク装置は、少なくとも１つの端末装置からチャネル状態情報を受信し、ネットワーク装置は、少なくとも１つの端末装置のチャネル状態情報に基づいて、第１の対応関係を更新し、ネットワーク装置は、更新された第１の対応関係を端末装置にブロードキャストする。
【００１６】
１つの可能な設計では、ネットワーク装置が受信された少なくとも１つの端末装置のチャネル状態情報に基づいて第１の対応関係を更新する場合、
ネットワーク装置は、少なくとも１つの端末装置のチャネル状態情報および第１の対応関係に基づいて、少なくとも１つの端末装置のそれぞれに対応するグレードを決定し、任意のグレードに対して、ネットワーク装置前記グレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、ここで、それぞれのグレードの調整情報は、受信過負荷率、送信過負荷率および有効過負荷率のうちの１つまたは組み合わせを含む。
【００１７】
１つの可能な設計では、ネットワーク装置は、前記グレードに対応する調整情報に基づいて、前記第１の対応関係における前記グレードに対応するチャネル状態情報の値の範囲を更新する場合、
調整情報に受信過負荷率および／または有効過負荷率が含まれる場合、同じグレードに対し、前記グレードに対応する調整情報が第１のしきい値よりも小さければ、ネットワーク装置は、第１の対応関係における前記グレードに対応するチャネル状態情報の値の範囲を縮小し、調整情報が第２のしきい値よりも大きければ、ネットワーク装置は、第１の対応関係における前記グレードに対応するチャネル状態情報の値の範囲を拡大し、ネットワーク装置は、第１の対応関係における前記グレードに対応するチャネル状態情報の値の範囲を拡大し、または、
調整情報に送信過負荷率が含まれる場合、同じグレードに対し、送信過負荷率が第５のしきい値よりも大きければ、ネットワーク装置は、第１の対応関係における前記グレードに対応するチャネル状態情報の値の範囲を縮小し、送信過負荷率が第６のしきい値よりも小さければ、ネットワーク装置は、第１の対応関係における前記グレードに対応するチャネル状態情報の値の範囲を拡大し、第３のしきい値は第４のしきい値以下である。
【００１８】
１つの可能な設計では、チャネル状態情報は、基準信号の受信電力、パイロット信号の受信強度および信号対雑音比のうちの１つまたは組み合わせを含む。
【００１９】
１つの可能な設計では、アップリンク送信リソースは、時間領域リソース、周波数領域リソースおよびコード領域リソースのうちの１つまたは組み合わせを含む。
【００２０】
第３の態様によれば、本出願の実施形態に係る端末装置は、
ネットワーク装置によってブロードキャストされた第１の対応関係および第２の対応関係を受信するように構成された送受信ユニットであって、第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含む前記送受信ユニットと、
端末装置のチャネル状態の値を決定し、端末装置のチャネル状態の値および送受信ユニットによって受信された第１の対応関係に基づいて、端末装置に対応するグレードを決定し、端末装置に対応するグレードおよび送受信ユニット受信された第２の対応関係に基づいて、端末装置に対応するグレードに対応するアップリンク送信リソースの集合を決定し、決定されたアップリンク送信リソースの集合からアップリンク送信リソースを選択するように構成された処理ユニットとを備える。
【００２１】
１つの可能な設計では、第２の対応関係において端末装置に対応するグレードが高いほど、グレードに対応するアップリンク送信リソースの集合に含まれるアップリンク送信リソースの品質がより良い。
【００２２】
１つの可能な設計では、送受信ユニットは、さらに、ネットワーク装置によってブロードキャストされた更新された第１の対応関係を受信し、
処理ユニットは、さらに、送受信ユニットがネットワーク装置によってブロードキャストされた更新された第１の対応関係を受信した後、端末装置のチャネル状態の値および更新された第１の対応関係に基づいて、端末装置に対応するグレードを決定する。
【００２３】
１つの可能な設計では、送受信ユニットは、さらに、端末装置のチャネル状態の値をネットワーク装置に報告し、報告されたチャネル状態の値はネットワーク装置が第１の対応関係を更新することに用いられる。
【００２４】
１つの可能な設計では、チャネル状態情報は、基準信号の受信電力、パイロット信号の受信強度および信号対雑音比のうちの１つまたは組み合わせを含む。
【００２５】
１つの可能な設計では、アップリンク送信リソースは、時間領域リソース、周波数領域リソースおよびコード領域リソースのうちの１つまたは組み合わせを含む。
【００２６】
第４の態様によれば、本出願の実施形態に係るネットワーク装置は、
チャネル状態情報の値の範囲と端末装置に対応するグレードとの間の対応関係を含む第１の対応関係を決定し、端末装置に対応するグレードとアップリンク送信リソースの集合との間の対応関係を含む第２の対応関係を決定するように構成された処理ユニットと、
処理ユニットによって決定された第１の対応関係および第２の対応関係を端末に装置ブロードキャストするように構成された送受信ユニットとを備え、
前記第１の対応関係および第２の対応関係は、端末装置がアップリンク送信リソースを選択することに用いられる。
【００２７】
１つの可能な設計では、第２の対応関係において端末装置に対応するグレードが高いほど、グレードに対応するアップリンク送信リソースの集合に含まれるアップリンク送信リソースの品質がより良い。
【００２８】
１つの可能な設計では、送受信ユニットは、さらに、少なくとも１つの端末装置からチャネル状態情報を受信し、
処理ユニットは、さらに、送受信ユニットが少なくとも１つの端末装置からチャネル状態情報を受信した後、少なくとも１つの端末装置のチャネル状態情報に基づいて、第１の対応関係を更新し、
送受信ユニットは、さらに、更新された第１の対応関係を端末装置にブロードキャストする。
【００２９】
１つの可能な設計では、処理ユニットは、受信された少なくとも１つの端末装置のチャネル状態情報に基づいて、第１の対応関係を更新する場合、具体的に、少なくとも１つの端末装置のチャネル状態情報および第１の対応関係に基づいて、少なくとも１つの端末装置のそれぞれに対応するグレードを決定し、任意のグレードに対して、ネットワーク装置前記グレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、ここで、それぞれのグレードの調整情報は、受信過負荷率、送信過負荷率および有効過負荷率のうちの１つまたは組み合わせを含む。
【００３０】
１つの可能な設計では、処理ユニットは、前記グレードに対応する調整情報に基づいて、前記第１の対応関係における前記グレードに対応するチャネル状態情報の値の範囲を更新する場合、具体的に、
調整情報に受信過負荷率および／または有効過負荷率が含まれる場合、同じグレードに対し、前記グレードに対応する調整情報が第１のしきい値よりも小さければ、第１の対応関係における前記グレードに対応するチャネル状態情報の値の範囲を縮小し、調整情報が第２のしきい値よりも大きければ、第１の対応関係における前記グレードに対応するチャネル状態情報の値の範囲を拡大し、ネットワーク装置は、第１の対応関係における前記グレードに対応するチャネル状態情報の値の範囲を拡大し、または
調整情報に送信過負荷率が含まれる場合、同じグレードに対し、送信過負荷率が第５のしきい値よりも大きければ、第１の対応関係における前記グレードに対応するチャネル状態情報の値の範囲を縮小し、送信過負荷率が第６のしきい値よりも小さければ、第１の対応関係における前記グレードに対応するチャネル状態情報の値の範囲を拡大し、第３のしきい値は第４のしきい値以下である。
【００３１】
１つの可能な設計では、チャネル状態情報は、基準信号の受信電力、パイロット信号の受信強度および信号対雑音比のうちの１つまたは組み合わせを含む。
【００３２】
１つの可能な設計では、アップリンク送信リソースは、時間領域リソース、周波数領域リソースおよびコード領域リソースのうちの１つまたは組み合わせを含む。
【００３３】
第５の態様によれば、本出願の実施形態に係る端末装置は、プロセッサと、メモリとを備え、
プロセッサは、メモリ内のプログラムを読み取り、次の手順を実行するように構成され、
ネットワーク装置によってブロードキャストされた第１の対応関係および第２の対応関係を受信するように送受信機を制御し、第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含み、
端末装置のチャネル状態の値を決定し、端末装置のチャネル状態の値および送受信機受信された第１の対応関係に基づいて、端末装置に対応するグレードを決定し、
端末装置に対応するグレードおよび送受信機受信された第２の対応関係に基づいて、端末装置に対応するグレードに対応するアップリンク送信リソースの集合を決定し、決定されたアップリンク送信リソースの集合からアップリンク送信リソースを選択する。
【００３４】
第６の態様によれば、本出願の実施形態に係るネットワーク装置は、プロセッサと、メモリとを備え、
前記プロセッサは、メモリ内のプログラムを読み取り、次の手順を実行するように構成され、
第１の対応関係を決定し、第１の対応関係は、チャネル状態情報の値の範囲と端末装置に対応するグレードとの間の対応関係を含み、
第２の対応関係を決定し、第２の対応関係は、端末装置に対応するグレードとアップリンク送信リソースの集合との間の対応関係を含み、
決定された第１の対応関係および第２の対応関係を端末装置にブロードキャストするように送受信機を制御し、第１の対応関係および第２の対応関係は、端末装置がアップリンク送信リソースを選択することに用いられる。
【発明の効果】
【００３５】
本出願の実施形態によって提供される技術スキームにおいて、ネットワーク装置は、リソース割り当てプロセスにおいて各端末装置と何度も対話する必要がないため、アップリンク送信リソースを端末装置に割り当てる実施の困難さを低減し、アップリンク伝送リソースを端末装置に割り当てるための時間消費とシグナリングオーバーヘッドを削減することができる。また、同じアップリンク送信リソースの集合に対応する複数の端末装置のチャネル状態情報の値は同じ値の範囲内であるため、すなわち、当該複数の端末装置のチャネル状態情報の値は近似するため、シリアル干渉キャンセルの原理に基づいて、複数の端末装置が１つのアップリンク伝送リソース集合から同じアップリンク伝送リソースを選択した場合でも、ネットワーク装置は複数の端末装置によって同じアップリンク伝送リソースで送信されたメッセージを正確に復調できで、複数の端末装置が同じアップリンク伝送リソースを選択することによる、低い伝送効率、さらに、端末装置の伝送障害の問題が回避され、端末装置の伝送効率が改善される。
【図面の簡単な説明】
【００３６】
【図１】本出願の実施形態に係るリソースの割り当て方法のフローチャートの概略図である。
【図２】本出願の実施形態に係る別のリソースの割り当て方法のフローチャートの概略図である。
【図３】本出願の実施形態に係る端末装置の構造概略図である。
【図４】本出願の実施形態に係る別の端末装置の構造概略図である。
【図５】本出願の実施形態に係るネットワーク装置の構造概略図である。
【図６】本出願の実施形態に係る別のネットワーク装置の構造概略図である。
【発明を実施するための形態】
【００３７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００３８】
本出願の実施形態は、端末装置、特に５Ｇシステムの端末装置にアップリンク送信リソースを割り当てるために使用されるリソース割り当て方法および装置を提供する。本出願の実施形態によって提供される技術スキームにおいて、端末装置は、自身のチャネル状態情報と、受信された、ネットワーク装置によってブロードキャストされた第１の対応関係および第２の対応関係に基づいて、自身にマッチするアップリンク伝送リソースの集合を決定し、当該集合からアップリンク伝送リソースを選択することができる。したがって、端末装置へのアップリンク伝送リソースの割り当てを実現する。ネットワーク装置はリソース割り当てプロセスで各端末装置と何度も対話する必要がないため、端末装置へのアップリンク送信リソースの割り当ての実施の難易度が低下し、アップリンク送信を割り当てるための時間消費とシグナリングオーバーヘッドが減少する。端末装置へのリソースが削減される。また、同一のアップリンクリンク送信リソース集合にマッチする複数の端末装置のチャネル状態情報の値は値の範囲内であるため、複数の端末装置が同じアップリンク伝送リソースを選択することによる、低い伝送効率、さらに、端末装置の伝送障害の問題が回避され、端末装置の伝送効率が改善される。この方法と装置は、同じ発明の思想に基づいており、問題を解決する原理は似ているため、装置の実施と方法の実施は相互に参照できるため、ここでは繰り返しの部分については触れない。
【００３９】
本発明の実施形態によって提供される技術スキームは、様々なシステム、特に５Ｇシステムに適用可能である。たとえば、適切なシステムは、モバイル通信のグローバルシステム（ｇｌｏｂａｌ  ｓｙｓｔｅｍ  ｏｆ  ｍｏｂｉｌｅ  ｃｏｍｍｕｎｉｃａｔｉｏｎ，ＧＳＭ（登録商標））、符号分割多元接続（ｃｏｄｅ  ｄｉｖｉｓｉｏｎ  ｍｕｌｔｉｐｌｅ  ａｃｃｅｓｓ，ＣＤＭＡ）システム、広帯域符号分割多元説続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）一般パケット無線サービス（ｇｅｎｅｒａｌ  ｐａｃｋｅｔ  ｒａｄｉｏ  ｓｅｒｖｉｃｅ，ＧＰＲＳ）システム、長期的な進化（ｌｏｎｇ  ｔｅｒｍ  ｅｖｏｌｕｔｉｏｎ，ＬＴＥ）システム、ＬＴＥ周波数分割複信（ｆｒｅｑｕｅｎｃｙ  ｄｉｖｉｓｉｏｎ  ｄｕｐｌｅｘ，ＦＤＤ）システム、ＬＴＥ時分割複信（ｔｉｍｅ  ｄｉｖｉｓｉｏｎ  ｄｕｐｌｅｘ，ＴＤＤ）システム、ユニバーサルモバイルテレコミュニケーションシステム（ｕｎｉｖｅｒｓａｌ  ｍｏｂｉｌｅ  ｔｅｌｅｃｏｍｍｕｎｉｃａｔｉｏｎ  ｓｙｓｔｅｍ，ＵＭＴＳ）、マイクロ波アクセスの世界的な相互運用性（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）システム、５Ｇシステム、５Ｇ新しいラジオ（ＮＲ）システムなどであり得る。これらすべてのシステムには、端末装置とネットワーク装置が含まれる。
【００４０】
本願の実施形態で言及される端末装置は、ユーザーに音声および／またはデータ接続性を提供する装置、無線接続機能を有するハンドヘルド装置、または無線モデムに接続される他の処理装置であり得る。端末装置の名前は、システムごとに異なる場合がある。たとえば、５Ｇシステムでは、端末装置はユーザー機器（ｕｓｅｒ  ｅｑｕｉｐｍｅｎｔ，ＵＥ）と呼ばれることがある。無線端末装置は、ｒａｄｉｏ  Ａｃｃｅｓｓ  Ｎｅｔｗｏｒｋ（ＲＡＮ）を介して１つ以上のコアネットワークと通信できる。無線端末装置は、携帯電話（または「セルラー」電話と呼ばれる）などのモバイル端末装置であってもよく、モバイル端末装置を備えたコンピュータは、例えば、ポータブル、ポケットサイズ、ハンドヘルド、コンピュータ内蔵または車載モバイル装置であり、無線アクセスネットワークと言語および／またはデータを交換することができる。たとえば、パーソナル通信サービス（ｐｅｒｓｏｎａｌ  ｃｏｍｍｕｎｉｃａｔｉｏｎ  ｓｅｒｖｉｃｅ，ＰＣＳ）電話、コードレス電話、セッション開始プロトコル（ｓｅｓｓｉｏｎ  ｉｎｉｔｉａｔｅｄ  ｐｒｏｔｏｃｏｌ，ＳＩＰ）電話、ワイヤレスローカルループ（ｗｉｒｅｌｅｓｓ  ｌｏｃａｌ  ｌｏｏｐ，ＷＬＬ）ステーション、パーソナルデジタルアシスタント（ｐｅｒｓｏｎａｌ  ｄｉｇｉｔａｌ  ａｓｓｉｓｔａｎｔ，ＰＤＡ）などの装置である。無線端末装置は、システム、加入者ユニット（ｓｕｂｓｃｒｉｂｅｒ  ｕｎｉｔ）、加入者局（ｓｕｂｓｃｒｉｂｅｒ  ｓｔａｔｉｏｎ）、移動局（ｍｏｂｉｌｅ  ｓｔａｔｉｏｎ）、モバイル（ｍｏｂｉｌｅ）、遠隔局（ｒｅｍｏｔｅ  ｓｔａｔｉｏｎ）、アクセスポイント（ａｃｃｅｓｓ  ｐｏｉｎｔ）、遠隔端末（ｒｅｍｏｔｅ  ｔｅｒｍｉｎａｌ）、アクセス端末（ａｃｃｅｓｓ  ｔｅｒｍｉｎａｌ）、ユーザー端末（ｕｓｅｒ  ｔｅｒｍｉｎａｌ）、ユーザーエージェント（ｕｓｅｒ  ａｇｅｎｔ）、およびユーザー装置（ｕｓｅｒ  ｄｅｖｉｃｅ）とも呼ばれることがある。本出願の実施形態によって制限されない。
【００４１】
本出願の実施形態に係るネットワーク装置は、複数のセルを備え得る基地局であり得る。特定の異なるアプリケーションに応じて、基地局はアクセスポイントとも呼ばれるか、アクセスネットワークのエアインターフェース上の１つ以上のセクターを介して無線端末装置と通信する装置（または他の名前）を指す。ネットワーク装置は、無線端末装置とアクセスネットワークの残りの部分の間のルーターとして、受信したエアフレームとインターネットプロトコル（ＩＰ）パケットの相互変換に使用できる。アクセスネットワークの残りの部分にはＩＰ通信ネットワークが含まれる。ネットワーク装置は、エアインターフェイスの属性管理を調整することもできる。例えば、本出願の実施形態に係るネットワーク装置は、移動体通信（ｇｌｏｂａｌ  ｓｙｓｔｅｍ  ｆｏｒ  ｍｏｂｉｌｅ  ｃｏｍｍｕｎｉｃａｔｉｏｎｓ，ＧＳＭ）または符号分割多元接続（ｃｏｄｅ  ｄｉｖｉｓｉｏｎ  ｍｕｌｔｉｐｌｅ  ａｃｃｅｓｓ，ＣＤＭＡ）のためのグローバルシステムにおけるベーストランシーバ局（ｂａｓｅ  ｔｒａｎｓｃｅｉｖｅｒ  ｓｔａｔｉｏｎ，ＢＴＳ）であってもよく、または帯域コード分割多元接続（ｗｉｄｅ−ｂａｎｄ  ｃｏｄｅ  ｄｉｖｉｓｉｏｎ  ｍｕｌｔｉｐｌｅ  ａｃｃｅｓｓ，ＷＣＤＭＡ）における広い範囲のＮｏｄｅＢであってもよい。または長期進化（ＬＴＥ）システムの進化ノードＢ（ｅＮＢまたはｅ−ＮｏｄｅＢ）、５Ｇネットワークアーキテクチャ（ｎｅｘｔ  ｇｅｎｅｒａｔｉｏｎ  ｓｙｓｔｅｍ）の５Ｇ基地局、ホーム進化型ノードＢ（ｈｏｍｅ  ｅｖｏｌｖｅｄ  ｎｏｄｅ  Ｂ，ＨｅＮＢ）、中継ノード（ｒｅｌａｙ  ｎｏｄｅ）、フェムト（ｆｅｍｔｏ）、ピコ（ｐｉｃｏ）などであってもよく。これらは、本出願の実施形態において限定されない。
【００４２】
以下、本明細書の図面を参照して、本願の実施形態を詳細に説明する。本願の実施形態の表示順序は、実施形態の順序を表すだけであり、実施形態によって提供される技術スキームの優先順位を表すものではないことに留意されたい。
【００４３】
図１に示されるように、本出願の実施形態はリソース割り当て方法を提供し、この方法は以下のステップを含む。
【００４４】
Ｓ１０１：端末装置は、ネットワーク装置によってブロードキャストされた第１の対応関係および第２の対応関係を受信し、ここで、第１の対応関係は、チャネル状態情報の値の範囲と端末装置に対応するグレードとの間の対応関係を含み、第２の対応関係は端末装置に対応するグレードとアップリンク送信リソースの集合との間の対応関係を含む。
【００４５】
本実施形態では、端末装置のチャネル状態情報は、基準信号の受信電力、パイロット信号の受信強度、および信号対雑音比などを含むが、これらに限定されない。
【００４６】
アップリンク送信リソースは、時間領域リソース、周波数領域リソース、およびコード領域リソースなどを含むが、これらに限定されない。ここで、時間領域リソースはタイムスロットなどであり、周波数領域リソースは周波数、周波数サブバンドなどであり、コード領域リソースは不均一なダイバーシティ次数を持つコードワードなどである。
【００４７】
ステップＳ１０１において、端末装置は、ネットワーク装置によってブロードキャストされたメッセージを受信し、受信されたメッセージで搬送される第１の対応関係および第２の対応関係を取得する。ネットワーク装置によってブロードキャストされたメッセージは、システムメッセージまたは他のメッセージであり得る。第１の対応関係および第２の対応関係は、ネットワーク装置によってブロードキャストされる１つのメッセージで運ばれてもよく、またはネットワーク装置によってそれぞれブロードキャストされる異なるメッセージで運ばれてもよい。
【００４８】
任意選択で、ネットワーク装置は、ステップＳ１０１の前に自身によって取得された端末装置のチャネル状態情報に基づいて初期の第１対応関係を決定するか、または、ステップＳ１０１の前に初期の第１対応関係を事前に設定し得る。さらに、初期の第１の対応関係を決定した後、または初期の第１の対応関係を事前に設定した後、ネットワーク装置は、第１の対応関係を定期的に更新することができる。
【００４９】
Ｓ１０２：端末装置は、端末装置のチャネル状態の値を決定し、端末装置のチャネル状態の値および第１の対応関係に基づいて、端末装置に対応するグレードを決定する。
【００５０】
ステップＳ１０２において、端末装置は、端末装置のチャネル状態情報の値を第１の対応関係にあるチャネル状態情報の値の範囲とマッチさせることにより、端末装置のチャネル状態情報の値が位置するチャネル状態情報値の範囲を決定することができる。これにより、当該値の範囲に対応する端末装置に対応するグレードを、当該端末装置に対して決定されたグレードとして決定する。
【００５１】
例えば、端末装置のチャネル状態情報は、基準信号（ｒｅｆｅｒｅｎｃｅ  ｓｉｇｎａｌ）の受信電力を含み、端末装置の受信電力が４ｄＢの値を有すると仮定すると、第１の対応関係、すなわち、端末装置の受信電力の範囲と端末装置に対応するグレードとの間の対応関係は、以下の表１に示す。
【００５２】
［表１］基準信号の受信電力の値の範囲と端末装置に対応するグレードとの間の対応関係
【表１】
2020529173.tif 000003
端末装置は、表１の第１の対応関係において、基準信号の受信電力の値４ｄＢを端末装置の受信電力の値の範囲とマッチさせる。基準信号の受信電力の値４ｄＢは４−５  ｄＢの値の範囲に対応し、当該値の範囲に対応する端末装置に対応するグレードは第２のグレードであるため、端末装置に対応するグレードは第２のグレードである。
【００５３】
ステップＳ１０２の前に、端末装置は、端末装置のチャネル状態情報を取得する。例えば、端末装置のチャネル状態情報が基準信号の受信電力を含む場合、端末装置は、自身の基準信号の受信電力を決定してもよい。
【００５４】
Ｓ１０３：端末装置は、端末装置に対応するグレードおよび第２の対応関係に基づいて、端末装置に対応するアップリンク送信リソースの集合を決定し、決定されたアップリンク送信リソースの集合からアップリンク送信リソースを選択する。
【００５５】
ここで、第２の対応関係において端末装置に対応するグレードが高いほど、グレードに対応するアップリンク送信リソースの集合に含まれるアップリンク送信リソースの品質がより良い。たとえば、第２の対応関係において端末装置に対応するグレードが高いほど、グレードに対応するアップリンク送信リソースの集合に含まれるアップリンク送信リソースのサーマル上の干渉（Ｉｎｔｅｒｆｅｒｅｎｃｅ  ｏｖｅｒ  Ｔｈｅｒｍａｌ，Ｉｏｔ）が低いほど、アップリンク送信リソースの品質がより良い。
【００５６】
例えば、複数の端末装置の受信電力の値が近似している場合、複数の端末装置の受信電力の値は、これらの端末装置が同じ送信リソースを使用してアップリンク送信していても、すべて３−５ｄＢである。ネットワーク装置は、これらの端末装置のアップリンク送信メッセージを正確に復調することもできる。この原理は、シリアル干渉キャンセルの原理と呼ばれる。
【００５７】
上述のシリアル干渉キャンセル原理に基づいて、ステップＳ１０３において、端末装置は、自身の対応するグレードを第２の対応関係のアップリンク送信リソースの集合とマッチさせ、端末装置に対応するグレードとマッチするアップリンク送信リソースの集合を決定する。当該アップリンク伝送リソースの集合からアップリンク伝送リソースをランダムに選択する。同じアップリンク送信リソースの集合に対応する複数の端末装置のチャネル状態情報の値は同じ値の範囲内であるため、すなわち、当該複数の端末装置のチャネル状態情報の値は近似するため、当該シリアル干渉キャンセル原理に基づいて、複数の端末装置が１つのアップリンク伝送リソース集合から同じアップリンク伝送リソースを選択した場合でも、ネットワーク装置は複数の端末装置によって同じアップリンク伝送リソースで送信されたメッセージを正確に復調できで、ソースの衝突による端末装置の低い伝送効率、さらに、端末装置の伝送障害の問題が回避され、端末装置の伝送効率が改善される。
【００５８】
任意選択で、端末装置は、端末装置に対応するグレードおよび端末装置に対応するグレードと端末装置の送信電力範囲の間の予め設定された対応関係に基づいて、端末装置に対応するグレードに対応する端末装置の送信電力範囲を決定してもよい。端末装置の送信電力範囲と、決定された端末装置の送信電力範囲からアップリンク送信に使用される送信電力を選択する。
【００５９】
任意選択で、末装置は、ステップＳ１０３の前に、事前設定された条件に基づいて端末装置の優先度を決定してもよい。ステップＳ１０３で、端末装置は、自身の優先度及び優先度とリソースとの間の予め設定されたマッピング関係によって、決定されたアップリンク伝送リソースの集合で端末装置の優先度によってマッピングされるリソースを選択することができる。たとえば、端末装置は、自身のサービス品質（Ｑｕａｌｉｔｙ  ｏｆ  Ｓｅｒｖｉｃｅ，Ｑｏｓ）グレードに基づいて自身の優先度を決定し、自身の優先度および自身の優先度及び優先度とリソースとの間の予め設定されたマッピング関係に基づいて、決定されたアップリンク伝送リソースの集合から端末装置の優先度によってマッピングされたリソースを選択し、Ｑｏｓグレードの異なる端末装置に異なるリソースを提供し、端末装置の伝送効率を改善し、リソースの利用率を改善する。
【００６０】
任意選択で、端末装置は、選択されたアップリンク送信リソースを採用することにより、端末装置のチャネル状態情報の値をネットワーク装置に報告し、報告されたチャネル状態情報の値は、ネットワーク装置が第１の対応関係を更新するために使用される。ネットワーク装置は、端末装置によって報告されたチャネル状態情報を受信した後、端末装置によって報告されたチャネル状態情報に基づいて第１の対応関係を更新し、更新された第１の対応関係を端末装置にブロードキャストする。このように、ネットワーク装置を介して第１の対応関係を更新および調整することにより、端末装置は、それ自身のアップリンク送信の要件により合致するアップリンク送信リソースを選択することができ、それにより、端末装置の送信効率が改善され、アップリンク伝送リソースの無駄を削減する。
【００６１】
任意選択で、端末装置は、ネットワーク装置によってブロードキャストされた更新された第１の対応関係を受信し、端末装置は、端末装置のチャネル状態の値および更新された第１の対応関係に基づいて、端末装置に対応するグレードを決定する。端末装置は、それ自身のアップリンク送信の要件により合致するアップリンク送信リソースを選択することができ、それにより、端末装置の送信効率が改善され、アップリンク伝送リソースの無駄を削減する。
【００６２】
本願の実施形態によって提供されるリソース割り当て方法では、端末装置根据端末装置のチャネル状態の値および受信されたネットワーク装置によってブロードキャストされた第１の対応関係に基づいて、端末装置に対応するグレードを決定する。第１の対応関係は、チャネル状態情報の値の範囲と端末装置に対応するグレードとの間の対応関係である。さらに、当該端末装置に対応するグレードおよび第２の対応関係に基づいて、当該端末装置に対応するグレードに対応するアップリンク送信リソースの集合を決定する。第２の対応関係は、端末装置に対応するグレードとアップリンク送信リソースの集合との間の対応関係である。さらに、端末装置は、当該アップリンク送信リソースの集合からアップリンク送信リソースを選択することができ、端末装置に対するアップリンク送信リソースの割り当てを実現し、５Ｇシステムにおいて、端末装置に対するアップリンク送信リソースの割り当ての実施の難しさを軽減し、５Ｇシステムの端末装置のアップリンク送信リソースを割り当てる時間消費とシグナリングオーバーヘッドを削減する。また、同じアップリンク送信リソースの集合に対応する複数の端末装置のチャネル状態情報の値は同じ値の範囲内であるため、複数の端末装置が同じアップリンク伝送リソースを選択することによる、低い伝送効率、さらに、端末装置の伝送障害の問題が回避され、端末装置の伝送効率が改善される
図２に示されるように、本出願の実施形態はリソース割り当て方法を提供し、この方法は以下のステップを含む。
【００６３】
Ｓ２０１：ネットワーク装置は、第１の対応関係を決定し、当該第１の対応関係は、チャネル状態情報の値の範囲と端末装置に対応するグレードとの間の対応関係を含む。
【００６４】
ステップＳ２０１において、ネットワーク装置は、取得された端末装置のチャネル状態情報に基づいて初期の第１の対応関係を決定するか、または初期の第１の対応関係を事前に設定することができる。初期の第１の対応関係を決定した後、または初期の第１の対応関係を事前に設定した後、ネットワーク装置は調整情報を決定でき、ネットワーク装置は少なくとも１つの端末装置のチャネル状態情報に基づいて第１の対応関係を更新し、更新された第１の対応関係を端末装置にブロードキャストする。ネットワーク装置が異なるチャネル状態の端末装置のために、これらの端末装置のアップリンク送信の要件をよりよく満たすアップリンク送信リソースを設定できるようにし、それにより、端末装置の送信効率が改善され、アップリンク伝送リソースの無駄を減らす。ネットワーク装置は、第１の対応関係を定期的に更新してもよいし、端末装置が端末装置のチャネル状態情報を報告した後に第１の対応関係を更新してもよい。ここでの第１の対応関係は、端末装置側の実施形態で説明した第１の対応関係と同様であり、ここでは繰り返さない。
【００６５】
ここで、端末装置のチャネル状態情報は、基準信号の受信電力、パイロット信号の受信強度、および信号対雑音比などを含むが、これらに限定されない。
【００６６】
任意選択で、ステップＳ２０１において、少なくとも１つの端末装置のチャネル状態情報に基づいて第１の対応関係を更新する前に、ネットワーク装置は、少なくとも１つの端末装置報告された少なくとも１つの端末装置のチャネル状態情報を受信する。
【００６７】
任意選択で、ネットワーク装は、少なくとも１つの端末装置のチャネル状態情報および第１の対応関係に基づいて、少なくとも１つの端末装置のそれぞれに対応するグレードを決定する。任意のグレードに対して、ネットワーク装置前記グレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、ここで、それぞれのグレードの調整情報は、受信過負荷率、送信過負荷率および有効過負荷率のうちの１つまたは組み合わせを含む。受信過負荷率は、ネットワーク装置のアップリンク送信リソースを使用してネットワーク装置にメッセージを送信する、復調された端末装置の数と、ネットワーク装置のアップリンク送信リソースがサポートできる端末装置の最大数の比率でる。有効過負荷率は、受信過負荷率の加重平均である。送信過負荷率は、ネットワーク装置のアップリンク送信リソースを使用してメッセージをネットワーク装置に送信する端末装置の数と、ネットワーク装置のアップリンク送信リソースがサポートできる端末装置の最大数の比率でる。
【００６８】
具体的には、ネットワーク装置は、以下のいずれかの方法で、前記グレードに対応する調整情報に基づいて、前記第１の対応関係における前記グレードに対応するチャネル状態情報の値の範囲を更新してもよい。
【００６９】
第１の方法：調整情報に受信過負荷率および／または有効過負荷率が含まれる場合、同じグレードに対し、調整情報が事前に設定された第１の閾値よりも小さい場合それは、ネットワーク装置のアップリンク伝送リソースを使用してネットワーク装置にメッセージを送信し、かつ復調された端末装置の数が少ないことを意味する。このグレードの端末装置の伝送品質は実際のアプリケーションの要件を満たすことができない。ネットワーク装置が第１の対応関係における前記グレードに対応するチャネル状態情報の値の範囲を縮小し、前記グレードに対応するアップリンク送信リソースで伝送を行う端末装置の数を減らし、前記グレードの端末装置の伝送効率を向上させる。
【００７０】
調整情報に受信過負荷率および／または有効過負荷率が含まれる場合、同じグレードに対し、調整情報が事前に設定された第２の閾値以上である場合、端末装置の送信品質がこのグレードでは、実際のアプリケーションの要件を満たしているため、ネットワーク装置は第１の対応関係における前記グレードに対応するチャネル状態情報の値の範囲を拡大して、アップリンク伝送リソースの使用率を改善し、アップリンク伝送リソースの無駄を減らす。または調整情報が事前に設定された第２の閾値以上である場合、ネットワーク装置は、第１の対応関係における前記グレードに対応するチャネル状態情報の値の範囲を不変に保つこともできる。
【００７１】
ここで、第１の閾値は、第２の閾値以下である。第１の方法を実施するために第１の閾値および第２の閾値を使用することに加えて、１つ以上の閾値を使用して第１の方法を実施できることに留意されたい。
【００７２】
第２の方法：調整情報に送信過負荷率が含まれる場合、同じグレードに対し、送信過負荷率が事前に設定された第３の閾値よりも大きい場合、前記グレードの端末装置のうち、ネットワーク装置のアップリンク送信リソースでネットワーク装置にメッセージを送信する端末装置の数が多いことを意味する。これにより、このグレードの端末装置の伝送品質が実際のアプリケーションの要件を満たしていない可能性があり、ネットワーク装置が第１の対応関係における前記グレードに対応するチャネル状態情報の値の範囲を縮小し、前記グレードに対応するアップリンク送信リソースで伝送を行う端末装置の数を減らし、前記グレードの端末装置の伝送効率を向上させる。
【００７３】
調整情報に送信過負荷率が含まれる場合、同じグレードに対し、調整情報に含まれる送信過負荷率が事前に設定された第６の閾値以下である場合、端末装置の送信品質がこのグレードでは、実際のアプリケーションの要件を満たしているため、ネットワーク装置は、第１の対応関係における前記グレードに対応するチャネル状態情報の値の範囲を拡大し、アップリンク伝送リソースの使用率を改善し、アップリンク伝送リソースの無駄を減らす。または、調整情報が事前に設定された第２のしきい値以下である場合、ネットワーク装置は、第１の対応関係における前記グレードに対応するチャネル状態情報の値を変更せずに維持できる。第３のしきい値は第４のしきい値以下である。第２の方法を実施するために第３のしきい値および第４のしきい値を使用することに加えて、１つ以上のしきい値を使用して第２の方法を実施できることに留意されたい。
【００７４】
上記の２つの方法に加えて、他の方法を使用して、実際の用途の要件に基づいて、第１の対応関係のグレードに対応するチャネル状態情報の値の範囲を調整できることに留意されたい。
【００７５】
Ｓ２０２：ネットワーク装置は、第２の対応関係を決定し、当該第２の対応関係は端末装置に対応するグレードとアップリンク送信リソースの集合との間の対応関係を含む。
【００７６】
ここで、第２の対応関係において端末装置に対応するグレードが高いほど、グレードに対応するアップリンク送信リソースの集合に含まれるアップリンク送信リソースの品質がより良い。
【００７７】
ステップＳ２０２で、ネットワーク装置は、自身が取得した端末装置のチャネル状態情報に応じて第２の対応関係を決定するか、第２の対応関係を予め設定することができる。なお、ここでの第２の対応関係は、端末装置側の実施形態で説明した第２の対応関係と同様であり、ここでは繰り返さないことに留意されたい。
【００７８】
本実施形態において、ステップＳ２０１は、ステップＳ２０２の前または後に実行することができ、ステップＳ２０１は、ステップＳ２０２と共に実行することもできる。本実施形態では、ステップＳ２０１およびＳ２０２の実行順序は限定されない。
【００７９】
Ｓ２０３：ネットワーク装置は、第１の対応関係および第２の対応関係を端末装置にブロードキャストし、第１の対応関係および第２の対応関係は、端末装置がアップリンク送信リソースを選択することに用いられる。
【００８０】
Ｓ２０３：ネットワーク装置は、第１の対応関係および第２の対応関係を端末装置にブロードキャストし、第１の対応関係および第２の対応関係は、端末装置がアップリンク伝送リソースを選択するために使用される。
【００８１】
ステップＳ２０３において、ネットワーク装置は、第１の対応関係および第２の対応関係を運ぶメッセージを端末装置にブロードキャストすることができ、ネットワーク装置によって端末装置にブロードキャストされるメッセージは、システムメッセージまたは他のメッセージであり得る。第１の対応関係および第２の対応関係は、ネットワーク装置によって端末装置にブロードキャストされる１つのメッセージで運ばれてもよく、またはネットワーク装置によって端末装置にブロードキャストされる異なるメッセージでそれぞれ運ばれてもよい。本実施形態では限定しない。
【００８２】
任意選択で、ネットワーク装置は、端末装置に対応するグレードと端末装置の送信電力範囲との間の対応関係を運ぶメッセージを端末装置へブロードキャストすることができる。
【００８３】
本願の実施形態によって提供されるリソース割り当て方法では、ネットワーク装置は、第１の対応関係および第２の対応関係を決定して端末装置にブロードキャストする。ここで、第１の対応関係は、チャネル状態情報の値の範囲と端末装置に対応するグレードとの間の対応関係である。第２の対応関係は、端末装置に対応するグレードとアップリンク送信リソースの集合との間の対応関係である。端末装置は、端末装置のチャネル状態の値および受信されたネットワーク装置から端末装置へブロードキャストされた第１の対応関係および第２の対応関係に基づいて、端末装置とマッチするアップリンク送信リソースの集合を決定、当該アップリンク送信リソースの集合からアップリンク送信リソースを選出し、端末装置へのアップリンク送信リソースの割り当てを実現し、アップリンク送信リソースを端末装置に割り当てる実施の困難さを低減し、５Ｇシステムの端末装置のアップリンク送信リソースを割り当てる時間消費とシグナリングオーバーヘッドを削減する。また、同じアップリンク送信リソースの集合に対応する複数の端末装置のチャネル状態情報の値は同じ値の範囲内であるため、複数の端末装置が同じアップリンク伝送リソースを選択することによる、低い伝送効率、さらに、端末装置の伝送障害の問題が回避され、端末装置の伝送効率が改善される
上記の実施形態に基づいて、本出願の実施形態は、図１の対応する実施形態で提供される方法を採用することができる端末装置を提供する。図３を参照すると、端末装置は送受信ユニット３０１と、処理ユニット３０２とを備える。
【００８４】
前記送受信ユニット３０１は、ネットワーク装置によって端末装置にブロードキャストされる第１の対応関係および第２の対応関係を受信するように構成され、第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含む。
【００８５】
前記処理ユニット３０２は、端末装置のチャネル状態の値を決定し、端末装置のチャネル状態の値および送受信ユニット３０１によって受信された第１の対応関係に基づいて、端末装置に対応するグレードを決定し、端末装置に対応するグレードおよび送受信ユニット３０１によって受信された第２の対応関係に基づいて、端末装置に対応するグレードに対応するアップリンク送信リソースの集合を決定し、決定されたアップリンク送信リソースの集合からアップリンク送信リソースを選択する。
【００８６】
任意選択で、第２の対応関係において端末装置に対応するグレードが高いほど、グレードに対応するアップリンク送信リソースの集合に含まれるアップリンク送信リソースの品質がより良い。
【００８７】
任意選択で、送受信ユニット３０１は、さらに、ネットワーク装置によってブロードキャストされた更新された第１の対応関係を受信する。
【００８８】
処理ユニット３０２は、さらに、送受信ユニット３０１がネットワーク装置によってブロードキャストされた更新された第１の対応関係を受信した後、端末装置のチャネル状態の値および更新された第１の対応関係に基づいて、端末装置に対応するグレードを決定する。
【００８９】
任意選択で、送受信ユニット３０１は、さらに、端末装置のチャネル状態の値をネットワーク装置に報告し、報告されたチャネル状態の値はネットワーク装置が第１の対応関係を更新することに用いられる。
【００９０】
任意選択で、チャネル状態情報は、基準信号の受信電力、パイロット信号の受信強度および信号対雑音比のうちの１つまたは組み合わせを含む。
【００９１】
任意選択で、アップリンク送信リソースは、時間領域リソース、周波数領域リソースおよびコード領域リソースのうちの１つまたは組み合わせを含む。
【００９２】
本願の実施形態におけるユニットの分割は概略的であり、論理機能分割のみであり、実際の実施には他の分割モードがあり得ることに留意されたい。さらに、本願の各実施形態におけるすべての機能ユニットは、１つの処理ユニットに統合されるか、物理的に別個に存在するか、または２つ以上のユニットが１つのユニットに統合され得る。上記の統合ユニットは、ハードウェアまたはソフトウェアの機能ユニットの形で実施できる。
【００９３】
前記統合ユニットがソフトウェア機能ユニットの形態で実施され、独立した製品として販売または使用される場合、それらはコンピュータ可読記憶媒体に格納されてもよい。この理解に基づいて、本質的に本出願の技術的解決策、または先行技術に貢献する部分、または技術的解決策の全部または一部は、ソフトウェア製品の形で具体化することができ、コンピュータソフトウェア製品（多数の命令を含む）は、記憶媒体に格納され、コンピューター装置（パーソナルコンピューター、サーバー、またはネットワーク装置など）またはプロセッサーに、すべてで説明されている本願の実施形態に係る方法のステップのすべてまたは一部を実行させる。前述の記憶媒体には、ＵＳＢフラッシュディスク、リムーバブルハードディスク、読み取り専用メモリ（ＲＯＭ）、ランダムアクセスメモリ（ＲＡＭ）、磁気ディスクまたは光ディスク、およびプログラムコードを格納できる他の媒体が含まれる。
【００９４】
上記の実施形態に基づいて、本願の実施形態は、図１に対応する実施形態で提供される方法を採用することができ、図３に示される端末装置と同じであり得る端末装置も提供する。図４を参照すると、端末装置は、プロセッサ４０１、送受信機４０２、バス４０３、およびメモリ４０４を含み、ここで：
前記プロセッサ４０１は、メモリ４０４内のプログラムを読み取り、次の手順を実行するように構成される。
【００９５】
前記プロセッサ４０１は、ネットワーク装置によってブロードキャストされた第１の対応関係および第２の対応関係を受信するように、送受信機４０２を制御する。第１の対応関係は、チャネル状態情報の値の範囲と端末装置に対応するグレードとの間の対応関係を含み、第２の対応関係は、端末装置に対応するグレードとアップリンク送信リソースの集合との間の対応関係を含み、
前記プロセッサ４０１は、さらに、端末装置のチャネル状態の値を決定し、端末装置のチャネル状態の値および送受信機４０２によって受信された第１の対応関係に基づいて、端末装置に対応するグレードを決定し、端末装置に対応するグレードおよび送受信機４０２によって受信された第２の対応関係に基づいて、端末装置に対応するグレードに対応するアップリンク送信リソースの集合を決定し、決定されたアップリンク送信リソースの集合からアップリンク送信リソースを選択する。
【００９６】
送受信機４０２は、プロセッサ４０１の制御下でデータを送受信するように構成される。
【００９７】
任意選択で、第２の対応関係において端末装置に対応するグレードが高いほど、グレードに対応するアップリンク送信リソースの集合に含まれるアップリンク送信リソースの品質がより良い。
【００９８】
任意選択で、前記プロセッサ４０１は、さらに、ネットワーク装置によってブロードキャストされた更新された第１の対応関係を受信するように、送受信機４０２を制御し、端末装置のチャネル状態の値および更新された第１の対応関係に基づいて、端末装置に対応するグレードを決定する。
【００９９】
任意選択で、前記プロセッサ４０１は、さらに、端末装置のチャネル状態の値をネットワーク装置に報告するように、送受信機４０２を制御し、報告されたチャネル状態の値はネットワーク装置が第１の対応関係を更新することに用いられる。
【０１００】
任意選択で、チャネル状態情報は、基準信号の受信電力、パイロット信号の受信強度および信号対雑音比のうちの１つまたは組み合わせを含む。
【０１０１】
任意選択で、アップリンク送信リソースは、時間領域リソース、周波数領域リソースおよびコード領域リソースのうちの１つまたは組み合わせを含む。
【０１０２】
プロセッサ４０１、送受信機４０２、およびメモリ４０４は、バス４０３を介して互いに接続される。バス４０３は、周辺コンポーネント相互接続（ｐｅｒｉｐｈｅｒａｌ  ｃｏｍｐｏｎｅｎｔ  ｉｎｔｅｒｃｏｎｎｅｃｔ，ＰＣＩ）バスまたは拡張産業標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ，ＥＩＳＡ）バスなどであり得る。バスは、アドレスバス、データバス、コントロールバスなどに分割できる。
【０１０３】
ここで、図４において、バスアーキテクチャは、いずれ数の相互接続するバス及びブリッジを備える。具体的に、プロセッサ４０１が代表となる１つまたは複数のプロセッサ及びメモリ４０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機４０２は、複数の部品であることができ、即ち、送信機及び受信機を備え、伝送媒体を介して他の装置と通信するユニットを提供する。プロセッサ４０１は、バズアーキテクチャ及び通常の処理を管理し、メモリ４０４は、プロセッサ４０１がステップする際に利用するデータを記憶することができる。
【０１０４】
任意選択で、プロセッサ４０１は、中央処理装置、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）、または複合プログラマブルロジック装置（ｃｏｍｐｌｅｘ  Ｐｒｏｇｒａｍｍａｂｌｅ  Ｌｏｇｉｃ  Ｄｅｖｉｃｅ，ＣＰＬＤ）であってもよい。
【０１０５】
上記の実施形態に基づいて、本出願の実施形態は、図２の対応する実施形態で提供される方法を採用することができるネットワーク装置を提供する。図５を参照すると、ネットワーク装置は、処理ユニット５０１および送受信ユニット５０２を備える。
【０１０６】
処理ユニット５０１は、第１の対応関係を決定し、第１の対応関係は、チャネル状態情報の値の範囲と端末装置に対応するグレードとの間の対応関係を含み、第２の対応関係を決定し、第２の対応関係は、端末装置に対応するグレードとアップリンク送信リソースの集合との間の対応関係を含む。
【０１０７】
送受信ユニット５０２は、処理ユニット５０１によって決定された第１の対応関係および第２の対応関係を端末装置にブロードキャストする。第１の対応関係および第２の対応関係は、端末装置がアップリンク送信リソースを選択することに用いられる。
【０１０８】
任意選択で、第２の対応関係において端末装置に対応するグレードが高いほど、グレードに対応するアップリンク送信リソースの集合に含まれるアップリンク送信リソースの品質がより良い。
【０１０９】
任意選択で、送受信ユニット５０２は、さらに、少なくとも１つの端末装置からチャネル状態情報を受信し、
処理ユニット５０１端末装置ブロードキャスト送受信ユニット５０２が少なくとも１つの端末装置からチャネル状態情報を受信した後、少なくとも１つの端末装置のチャネル状態情報に基づいて、第１の対応関係を更新する。
【０１１０】
送受信ユニット５０２は、さらに、更新された第１の対応関係を端末装置にブロードキャストする。
【０１１１】
任意選択で、処理ユニット５０１は、受信された少なくとも１つの端末装置のチャネル状態情報に基づいて、第１の対応関係を更新する場合、具体的に、
少なくとも１つの端末装置のチャネル状態情報および第１の対応関係に基づいて、少なくとも１つの端末装置のそれぞれに対応するグレードを決定し、
任意のグレードに対して、前記グレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新する。
【０１１２】
ここで、それぞれのグレードの調整情報は、受信過負荷率、送信過負荷率および有効過負荷率のうちの１つまたは組み合わせを含む。
【０１１３】
任意選択で、処理ユニット５０１は、前記グレードに対応する調整情報に基づいて、前記第１の対応関係における前記グレードに対応するチャネル状態情報の値の範囲を更新する場合、具体的に、
調整情報に受信過負荷率および／または有効過負荷率が含まれる場合、同じグレードに対し、前記グレードに対応する調整情報が第１のしきい値よりも小さければ、第１の対応関係における前記グレードに対応するチャネル状態情報の値の範囲を縮小し、調整情報が第２のしきい値よりも大きければ、第１の対応関係における前記グレードに対応するチャネル状態情報の値の範囲を拡大し、ネットワーク装置は、第１の対応関係における前記グレードに対応するチャネル状態情報の値の範囲を拡大し、または
調整情報に送信過負荷率が含まれる場合、同じグレードに対し、送信過負荷率が第５のしきい値よりも大きければ、第１の対応関係における前記グレードに対応するチャネル状態情報の値の範囲を縮小し、送信過負荷率が第６のしきい値よりも小さければ、第１の対応関係における前記グレードに対応するチャネル状態情報の値の範囲を拡大し、第３のしきい値は第４のしきい値以下である。
【０１１４】
任意選択で、チャネル状態情報は、基準信号の受信電力、パイロット信号の受信強度および信号対雑音比のうちの１つまたは組み合わせを含む。
【０１１５】
任意選択で、アップリンク送信リソースは、時間領域リソース、周波数領域リソースおよびコード領域リソースのうちの１つまたは組み合わせを含む。
【０１１６】
本願の実施形態におけるユニットの分割は概略的であり、論理機能分割のみであり、実際の実施には他の分割モードがあり得ることに留意されたい。さらに、本願の各実施形態におけるすべての機能ユニットは、１つの処理ユニットに統合されるか、物理的に別個に存在するか、または２つ以上のユニットが１つのユニットに統合され得る。上記の統合ユニットは、ハードウェアまたはソフトウェアの機能ユニットの形で実施できる。
【０１１７】
前記統合ユニットがソフトウェア機能ユニットの形態で実施され、独立した製品として販売または使用される場合、それらはコンピュータ可読記憶媒体に格納されてもよい。この理解に基づいて、本質的に本出願の技術的解決策、または先行技術に貢献する部分、または技術的解決策の全部または一部は、ソフトウェア製品の形で具体化することができ、コンピュータソフトウェア製品（多数の命令を含む）は、記憶媒体に格納され、コンピューター装置（パーソナルコンピューター、サーバー、またはネットワーク装置など）またはプロセッサーに、すべてで説明されている本願の実施形態に係る方法のステップのすべてまたは一部を実行させる。前述の記憶媒体には、ＵＳＢフラッシュディスク、リムーバブルハードディスク、読み取り専用メモリ（ＲＯＭ）、ランダムアクセスメモリ（ＲＡＭ）、磁気ディスクまたは光ディスク、およびプログラムコードを格納できる他の媒体が含まれる。
【０１１８】
上記の実施形態に基づいて、本願の実施形態は、図２に対応する実施形態で提供される方法を採用することができ、図５に示されるネットワーク装置と同じであり得るネットワーク装置も提供する。図６を参照すると、ネットワーク装置は、プロセッサ６０１、送受信機６０２、バス６０３、およびメモリ６０４を備え、ここで：
プロセッサ６０１は、メモリ６０４内のプログラムを読み取り、次の手順を実行するように構成される。
【０１１９】
前記プロセッサ６０１は、第１の対応関係を決定し、第１の対応関係は、チャネル状態情報の値の範囲と端末装置に対応するグレードとの間の対応関係を含み、第２の対応関係を決定し、第２の対応関係は、端末装置に対応するグレードとアップリンク送信リソースの集合との間の対応関係を含み、決定された第１の対応関係および第２の対応関係を端末装置にブロードキャストするように、送受信機６０２を制御する。第１の対応関係および第２の対応関係は、端末装置がアップリンク送信リソースを選択することに用いられる。
【０１２０】
送受信機６０２は、プロセッサ６０１の制御下でデータを受信および送信するように構成される。
【０１２１】
任意選択で、第２の対応関係において端末装置に対応するグレードが高いほど、グレードに対応するアップリンク送信リソースの集合に含まれるアップリンク送信リソースの品質がより良い。
【０１２２】
任意選択で、プロセッサ６０１は、少なくとも１つの端末装置からチャネル状態情報を受信し、少なくとも１つの端末装置のチャネル状態情報に基づいて、第１の対応関係を更新し、更新された第１の対応関係を端末装置にブロードキャストするように、送受信機６０２を制御する。
【０１２３】
任意選択で、プロセッサ６０１は、受信された少なくとも１つの端末装置のチャネル状態情報に基づいて、第１の対応関係を更新する場合、具体的に、少なくとも１つの端末装置のチャネル状態情報および第１の対応関係に基づいて、少なくとも１つの端末装置のそれぞれに対応するグレードを決定し、任意のグレードに対して、前記グレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、ここで、それぞれのグレードの調整情報は、受信過負荷率、送信過負荷率および有効過負荷率のうちの１つまたは組み合わせを含む。
【０１２４】
任意選択で、プロセッサ６０１は、前記グレードに対応する調整情報に基づいて、前記第１の対応関係における前記グレードに対応するチャネル状態情報の値の範囲を更新する場合、具体的に、
調整情報に受信過負荷率および／または有効過負荷率が含まれる場合、同じグレードに対し、前記グレードに対応する調整情報が第１のしきい値よりも小さければ、第１の対応関係における前記グレードに対応するチャネル状態情報の値の範囲を縮小し、調整情報が第２のしきい値よりも大きければ、第１の対応関係における前記グレードに対応するチャネル状態情報の値の範囲を拡大し、ネットワーク装置は、第１の対応関係における前記グレードに対応するチャネル状態情報の値の範囲を拡大し、または調整情報に送信過負荷率が含まれる場合、同じグレードに対し、送信過負荷率が第５のしきい値よりも大きければ、第１の対応関係における前記グレードに対応するチャネル状態情報の値の範囲を縮小し、送信過負荷率が第６のしきい値よりも小さければ、第１の対応関係における前記グレードに対応するチャネル状態情報の値の範囲を拡大し、第３のしきい値は第４のしきい値以下である。
【０１２５】
任意選択で、チャネル状態情報は、基準信号の受信電力、パイロット信号の受信強度および信号対雑音比のうちの１つまたは組み合わせを含む。
【０１２６】
任意選択で、アップリンク送信リソースは、時間領域リソース、周波数領域リソースおよびコード領域リソースのうちの１つまたは組み合わせを含む。
【０１２７】
プロセッサ６０１、送受信機６０２、およびメモリ６０４は、バス６０３を介して互いに接続される。バス６０３は、ＰＣＩバスまたはＥＩＳＡバスなどとすることができる。バスは、アドレスバス、データバス、コントロールバスなどに分割できる。
【０１２８】
ここで、図６において、バスアーキテクチャは、いずれ数の相互接続するバス及びブリッジを備える。具体的に、プロセッサ６０１が代表となる１つまたは複数のプロセッサ及びメモリ６０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６０２は、複数の部品であることができ、即ち、送信機及び受信機を備え、伝送媒体を介して他の装置と通信するユニットを提供する。プロセッサ６０１は、バズアーキテクチャ及び通常の処理を管理し、メモリ６０４は、プロセッサ６０１がステップする際に利用するデータを記憶することができる。
【０１２９】
任意選択で、プロセッサ６０１は、中央処理装置、ＡＳＩＣ、ＦＰＧＡ、またはＣＰＬＤであってもよい。
【０１３０】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ、光学記憶装置等を含むがそれとは限らない）において実施する。
【０１３１】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１３２】
これらのコンピュータプログラム指令は又、また、コンピュータ或いは他のプログラム可能なデータ処理装置を特定方式でステップさせるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１３３】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
上述した実施形態に記述された技術的な解決手段を改造し、或いはその中の一部の技術要素を置換することもできる。そのような、改造と置換は本発明の各実施形態の技術の範囲から逸脱するとは見なされない。
【０１３４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2020529173.tif 000004
【図２】
2020529173.tif 000005
【図３】
2020529173.tif 000006
【図４】
2020529173.tif 000007
【図５】
2020529173.tif 000008
【図６】
2020529173.tif 000009
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
端末装置は、ネットワーク装置によってブロードキャストされた第１の対応関係および第２の対応関係を受信するステップと、
前記端末装置は、端末装置のチャネル状態の値を決定し、端末装置のチャネル状態の値および前記第１の対応関係に基づいて、端末装置に対応するグレードを決定するステップと、
前記端末装置は、端末装置に対応するグレードおよび前記第２の対応関係に基づいて、端末装置に対応するアップリンク送信リソースの集合を決定し、決定された前記アップリンク送信リソースの集合からアップリンク送信リソースを選択するステップとを備え、
前記第１の対応関係は、チャネル状態情報の値の範囲と端末装置に対応するグレードとの間の対応関係を含み、前記第２の対応関係は、端末装置に対応するグレードとアップリンク送信リソースの集合との間の対応関係を含むことを特徴とするリソースの割り当て方法。
【請求項２】
前記第２の対応関係において端末装置に対応するグレードが高いほど、グレードに対応するアップリンク送信リソースの集合に含まれるアップリンク送信リソースの品質がより良いであることを特徴とする請求項１に記載のリソースの割り当て方法。
【請求項３】
前記端末装置は、前記ネットワーク装置によってブロードキャストされた更新された前記第１の対応関係を受信し、
前記端末装置は、端末装置のチャネル状態の値および更新された前記第１の対応関係に基づいて、端末装置に対応するグレードを決定することを特徴とする請求項１に記載のリソースの割り当て方法。
【請求項４】
前記端末装置は、端末装置のチャネル状態の値を前記ネットワーク装置に報告し、報告された前記チャネル状態の値は、前記ネットワーク装置が前記第１の対応関係を更新するために使用されることを特徴とする請求項１に記載のリソースの割り当て方法。
【請求項５】
前記チャネル状態情報は、基準信号の受信電力、パイロット信号の受信強度および信号対雑音比のうちの１つまたは組み合わせを含むことを特徴とする請求項１から請求項４のいずれか１項に記載のリソースの割り当て方法。
【請求項６】
前記アップリンク送信リソースは、時間領域リソース、周波数領域リソースおよびコード領域リソースのうちの１つまたは組み合わせを含むことを特徴とする請求項１から請求項４のいずれか１項に記載のリソースの割り当て方法。
【請求項７】
ネットワーク装置は、チャネル状態情報の値の範囲と端末装置に対応するグレードとの間の対応関係を含む第１の対応関係を決定するステップと、
前記ネットワーク装置は、端末装置に対応するグレードとアップリンク送信リソースの集合との間の対応関係を含む第２の対応関係を決定するステップと、
前記ネットワーク装置は、前記第１の対応関係および前記第２の対応関係を端末装置にブロードキャストするステップとを備え、
前記第１の対応関係および前記第２の対応関係は、前記端末装置がアップリンク送信リソースを選択するために使用されることを特徴とするリソースの割り当て方法。
【請求項８】
前記第２の対応関係において端末装置に対応するグレードが高いほど、グレードに対応するアップリンク送信リソースの集合に含まれるアップリンク送信リソースの品質がより良いであることを特徴とする請求項７に記載のリソースの割り当て方法。
【請求項９】
前記ネットワーク装置は、少なくとも１つの端末装置からチャネル状態情報を受信し、
前記ネットワーク装置は、前記少なくとも１つの端末装置のチャネル状態情報に基づいて、前記第１の対応関係を更新し、
前記ネットワーク装置は、更新された前記第１の対応関係を前記端末装置にブロードキャストすることを特徴とする請求項７に記載のリソースの割り当て方法。
【請求項１０】
前記ネットワーク装置は、受信された前記少なくとも１つの端末装置のチャネル状態情報に基づいて、前記第１の対応関係を更新する場合、
前記ネットワーク装置は、前記少なくとも１つの端末装置のチャネル状態情報および前記第１の対応関係に基づいて、前記少なくとも１つの端末装置のそれぞれに対応するグレードを決定し、
任意のグレードに対して、前記ネットワーク装置は、前記任意のグレードに対応する端末装置のチャネル状態情報に基づいて、前記グレードに対応する調整情報を決定し、前記グレードに対応する調整情報に基づいて、前記第１の対応関係における前記グレードに対応するチャネル状態情報の値の範囲を更新し、
前記調整情報は、受信過負荷率、送信過負荷率および有効過負荷率のうちの１つまたは組み合わせを含むことを特徴とする請求項９に記載のリソースの割り当て方法。
【請求項１１】
前記ネットワーク装置が前記グレードの調整情報に基づいて前記第１の対応関係における前記グレードに対応するチャネル状態情報の値の範囲を更新する場合、
前記調整情報に受信過負荷率および／または有効過負荷率が含まれる場合、同じグレードに対し、前記グレードに対応する調整情報が第１のしきい値よりも小さければ、前記ネットワーク装置は、前記第１の対応関係における前記グレードに対応するチャネル状態情報の値の範囲を縮小し、前記調整情報が第２のしきい値よりも大きければ、前記ネットワーク装置は、前記第１の対応関係における前記グレードに対応するチャネル状態情報の値の範囲を拡大し、前記第１のしきい値は、前記第２のしきい値以下であり、または
前記調整情報に送信過負荷率が含まれる場合、同じグレードに対し、前記送信過負荷率が第３のしきい値よりも大きければ、前記ネットワーク装置は、前記第１の対応関係における前記グレードに対応するチャネル状態情報の値の範囲を縮小し、前記送信過負荷率が第４のしきい値よりも小さければ、前記ネットワーク装置は、前記第１の対応関係における前記グレードに対応するチャネル状態情報の値の範囲を拡大し、前記第３のしきい値は前記第４のしきい値以下であることを特徴とする請求項１０に記載のリソースの割り当て方法。
【請求項１２】
前記チャネル状態情報は、基準信号の受信電力、パイロット信号の受信強度および信号対雑音比のうちの１つまたは組み合わせを含むことを特徴とする請求項７から請求項１１のいずれか１項に記載のリソースの割り当て方法。
【請求項１３】
前記アップリンク送信リソースは、時間領域リソース、周波数領域リソースおよびコード領域リソースのうちの１つまたは組み合わせを含むことを特徴とする請求項７から請求項１１のいずれか１項に記載のリソースの割り当て方法。
【請求項１４】
ネットワーク装置によってブロードキャストされた第１の対応関係および第２の対応関係を受信するように構成された送受信ユニットであって、前記第１の対応関係は、チャネル状態情報の値の範囲と端末装置に対応するグレードとの間の対応関係を含み、前記第２の対応関係は、端末装置に対応するグレードとアップリンク送信リソースの集合との間の対応関係を含む前記送受信ユニットと、
端末装置のチャネル状態の値を決定し、端末装置のチャネル状態の値および前記送受信ユニットによって受信された前記第１の対応関係に基づいて、端末装置に対応するグレードを決定し、端末装置に対応するグレードおよび前記送受信ユニットによって受信された前記第２の対応関係に基づいて、端末装置に対応するグレードに対応するアップリンク送信リソースの集合を決定し、決定された前記アップリンク送信リソースの集合からアップリンク送信リソースを選択するように構成された処理ユニットとを備えることを特徴とする端末装置。
【請求項１５】
チャネル状態情報の値の範囲と端末装置に対応するグレードとの間の対応関係を含む第１の対応関係を決定し、端末装置に対応するグレードとアップリンク送信リソースの集合との間の対応関係を含む第２の対応関係を決定するように構成された処理ユニットと、
前記処理ユニットによって決定された前記第１の対応関係および前記第２の対応関係を端末装置にブロードキャストするように構成された送受信ユニットとを備え、
前記第１の対応関係および前記第２の対応関係は、前記端末装置がアップリンク送信リソースを選択するために使用されることを特徴とするネットワーク装置。
【手続補正２】
【補正対象書類名】明細書
【補正対象項目名】００１７
【補正方法】変更
【補正の内容】
【００１７】
１つの可能な設計では、ネットワーク装置は、前記グレードに対応する調整情報に基づいて、前記第１の対応関係における前記グレードに対応するチャネル状態情報の値の範囲を更新する場合、
調整情報に受信過負荷率および／または有効過負荷率が含まれる場合、同じグレードに対し、前記グレードに対応する調整情報が第１のしきい値よりも小さければ、ネットワーク装置は、第１の対応関係における前記グレードに対応するチャネル状態情報の値の範囲を縮小し、調整情報が第２のしきい値よりも大きければ、ネットワーク装置は、第１の対応関係における前記グレードに対応するチャネル状態情報の値の範囲を拡大し、ネットワーク装置は、第１の対応関係における前記グレードに対応するチャネル状態情報の値の範囲を拡大し、または、
調整情報に送信過負荷率が含まれる場合、同じグレードに対し、送信過負荷率が第３のしきい値よりも大きければ、ネットワーク装置は、第１の対応関係における前記グレードに対応するチャネル状態情報の値の範囲を縮小し、送信過負荷率が第４のしきい値よりも小さければ、ネットワーク装置は、第１の対応関係における前記グレードに対応するチャネル状態情報の値の範囲を拡大し、第３のしきい値は第４のしきい値以下である。
【手続補正３】
【補正対象書類名】明細書
【補正対象項目名】００３０
【補正方法】変更
【補正の内容】
【００３０】
１つの可能な設計では、処理ユニットは、前記グレードに対応する調整情報に基づいて、前記第１の対応関係における前記グレードに対応するチャネル状態情報の値の範囲を更新する場合、具体的に、
調整情報に受信過負荷率および／または有効過負荷率が含まれる場合、同じグレードに対し、前記グレードに対応する調整情報が第１のしきい値よりも小さければ、第１の対応関係における前記グレードに対応するチャネル状態情報の値の範囲を縮小し、調整情報が第２のしきい値よりも大きければ、第１の対応関係における前記グレードに対応するチャネル状態情報の値の範囲を拡大し、ネットワーク装置は、第１の対応関係における前記グレードに対応するチャネル状態情報の値の範囲を拡大し、または
調整情報に送信過負荷率が含まれる場合、同じグレードに対し、送信過負荷率が第３のしきい値よりも大きければ、第１の対応関係における前記グレードに対応するチャネル状態情報の値の範囲を縮小し、送信過負荷率が第４のしきい値よりも小さければ、第１の対応関係における前記グレードに対応するチャネル状態情報の値の範囲を拡大し、第３のしきい値は第４のしきい値以下である。
【手続補正４】
【補正対象書類名】明細書
【補正対象項目名】０１１３
【補正方法】変更
【補正の内容】
【０１１３】
任意選択で、処理ユニット５０１は、前記グレードに対応する調整情報に基づいて、前記第１の対応関係における前記グレードに対応するチャネル状態情報の値の範囲を更新する場合、具体的に、
調整情報に受信過負荷率および／または有効過負荷率が含まれる場合、同じグレードに対し、前記グレードに対応する調整情報が第１のしきい値よりも小さければ、第１の対応関係における前記グレードに対応するチャネル状態情報の値の範囲を縮小し、調整情報が第２のしきい値よりも大きければ、第１の対応関係における前記グレードに対応するチャネル状態情報の値の範囲を拡大し、ネットワーク装置は、第１の対応関係における前記グレードに対応するチャネル状態情報の値の範囲を拡大し、または
調整情報に送信過負荷率が含まれる場合、同じグレードに対し、送信過負荷率が第３のしきい値よりも大きければ、第１の対応関係における前記グレードに対応するチャネル状態情報の値の範囲を縮小し、送信過負荷率が第４のしきい値よりも小さければ、第１の対応関係における前記グレードに対応するチャネル状態情報の値の範囲を拡大し、第３のしきい値は第４のしきい値以下である。
【手続補正５】
【補正対象書類名】明細書
【補正対象項目名】０１２４
【補正方法】変更
【補正の内容】
【０１２４】
任意選択で、プロセッサ６０１は、前記グレードに対応する調整情報に基づいて、前記第１の対応関係における前記グレードに対応するチャネル状態情報の値の範囲を更新する場合、具体的に、
調整情報に受信過負荷率および／または有効過負荷率が含まれる場合、同じグレードに対し、前記グレードに対応する調整情報が第１のしきい値よりも小さければ、第１の対応関係における前記グレードに対応するチャネル状態情報の値の範囲を縮小し、調整情報が第２のしきい値よりも大きければ、第１の対応関係における前記グレードに対応するチャネル状態情報の値の範囲を拡大し、ネットワーク装置は、第１の対応関係における前記グレードに対応するチャネル状態情報の値の範囲を拡大し、または調整情報に送信過負荷率が含まれる場合、同じグレードに対し、送信過負荷率が第３のしきい値よりも大きければ、第１の対応関係における前記グレードに対応するチャネル状態情報の値の範囲を縮小し、送信過負荷率が第４のしきい値よりも小さければ、第１の対応関係における前記グレードに対応するチャネル状態情報の値の範囲を拡大し、第３のしきい値は第４のしきい値以下である。
【国際調査報告】
2020529173.tif 000010
2020529173.tif 000011
2020529173.tif 000012
2020529173.tif 000013